(57)【要約】      （修正有）【課題】ノーズワイヤーを着脱可能にした衛生マスクを提供する。【解決手段】布製の洗って繰り返し何度も使用可能な、使い捨てマスクでないノーズワイヤーの取り出し口のある衛生マスク１で、ノーズワイヤーの取出し口を端から少し中央よりに設けることと、ノーズワイヤーの長さを適当な長さにすることの組み合わせで、着用中はノーズワイヤー３の飛び出しを防止し、取り出しも容易にすることができる。これにより、装着されたノーズワイヤー３が洗濯の際は取り出せ、洗濯後に再び装着できる。【選択図】図６
0003215606.tif 000002
【実用新案登録請求の範囲】
【請求項１】
ノーズワイヤーを収める部分のある衛生マスクで、且つノーズワイヤーの取り出し口を設けたことを特徴とする衛生マスク。
【請求項２】
ノーズワイヤーの取出し口をノーズワイヤーを入れる端に設けるのではなく、着用中はノーズワイヤーの飛び出しを防止のため取り出し口を避けてノーズワイヤーが水平方向に収納部分を移動し収まり、取り出す時はノーズワイヤーを反対の水平方向に移動しノーズワイヤーの先端が取外し口に移動できるよう考案された、端から中央よりに取り出し口を設けたことを特徴とする請求項１記載の衛生マスク。
【請求項３】
ノーズワイヤーの取出し口をノーズワイヤーの長手方向に略平行に開口部を設けたことを特徴とする請求項１又は２に記載の衛生マスク。
【考案の詳細な説明】
【技術分野】
【０００１】衛生マスクにおいては眼鏡のくもりを軽減させる、あるいはマスクの隙間を少なくするという課題の解決方法には、一般的に、ノーズワイヤーを用いる方法と、パッドなどの固形物を用いる方法が知られている。
本考案は布製の洗って繰り返し何度も使用可能な、使い捨てマスクでない衛生マスクにおいて、ノーズワイヤーを装着した場合における技術である。
またノーズワイヤーとは樹脂製で形状を容易に変化させることのでき、且つ形状を保持できる機能を持ったものである。
最近の衛生マスクにおいては眼鏡のくもりを軽減させる、あるいはマスクの隙間を少なくするという理由で、ノーズワイヤーを持ちいる方法が多くなってきている。
特に不織布製の使い捨て衛生マスクにはほとんどのマスクにノーズワイヤーは装着されている。本考案の「装着」とは、ノーズワイヤーを衛生マスクの外から貼り付けるということでなく、衛生マスクの布に内蔵されて、外から見えないように装着された状態をいう。
【背景技術】
【０００２】衛生マスクにノーズワイヤーを装着したものはたくさんあるが、それは、多くが不織布製の使い捨て衛生マスクで、ノーズワイヤーが着脱できるものでなく、その着脱の必要性もなかった。それは使い捨てであるという理由からである。
しかし布製の洗って繰り返し何度も使用可能な、使い捨てマスクでない衛生マスクにおいて、ノーズワイヤーを装着したまま洗うと、ノーズワイヤーが布を傷めたり、ノーズワイヤーが変形して、耐久性、機能性が損なわれる。
手洗いならまだしも洗濯機で洗濯した場合は、激しくノーズワイヤーが布を傷めたり、ノーズワイヤーが変形して、耐久性、機能性が著しく損なわれる。
従って、従来は布製の洗って繰り返し何度も使用可能な、使い捨てマスクでない衛生マスクにおいて、衛生マスクにノーズワイヤーは必要不可欠になりつつあるにも関わらず、ノーズワイヤーを装着させることを躊躇していた。
かつて、ガーゼマスクという衛生マスクにノーズワイヤーを付けた製品はあった。現在主流となる樹脂製のノーズワイヤーでなく、まさに針金が装着されていた。洗濯すると、中から針金が飛び出し、危険この上もないものであった。
その後、樹脂製のノーズワイヤーを装着した衛生マスクも現れたが、ノーズワイヤーを着脱できるものではなかった。
例えば特許文献のように、ノーズワイヤーをマスクの外側、表面に貼り付けるのことで、着脱するものはあったが、ノーズワイヤーを衛生マスクに内蔵し、且つノーズワイヤーを着脱できるものはこれまでになかった。
環境にも優しく、着用感にも優れた、布製の洗って繰り返し何度も使用可能な、使い捨てマスクでない衛生マスクが要望される昨今、  その繰り返し使える衛生マスクに装着されたノーズワイヤーは洗濯の際は取り出し、着用時には再度取り付けることができる、着脱可能であることが望ましい。
【先行技術文献】
【特許文献】
【０００３】
【特許文献１】特開２０１２−２１７５３８号  公報
【考案の概要】
【考案が解決しようとする課題】
【０００４】衛生マスクには眼鏡のくもりを軽減させる、あるいはマスクの隙間を少なくするということで、ノーズワイヤーの装着は必要不可欠になりつつある。
環境にも優しく、着用感にも優れた、布製の洗って繰り返し何度も使用可能な、使い捨てマスクでない衛生マスクであっても、ノーズワイヤーの装着は要望されるところである。しかし  ノーズワイヤーが装着された布製の洗って繰り返し何度も使用可能な、使い捨てマスクでない衛生マスクでは、ノーズワイヤーを装着したまま洗うと、ノーズワイヤーが布を傷めたり、ノーズワイヤーが変形して、耐久性、機能性が損なわれた。
布製の洗って繰り返し何度も使用可能な、使い捨てマスクでない衛生マスクでは、ノーズワイヤーの耐久性、機能性維持のため、あるいは布製マスク本体のためにも、装着されたノーズワイヤーは  着脱可能であることが望ましい。
しかし、これまでに装着されたノーズワイヤーを着脱できるものはなかった。
【課題を解決するための手段】
【０００５】  布製の洗って繰り返し何度も使用可能な、使い捨てマスクでない衛生マスクにおいて、ノーズワイヤーの取出し口を設けることで、ノーズワイヤーを着脱可能にする手段である。
また、単純にノーズワイヤーの取出し口を端のも設けるだけでは、
使用中にノーズワイヤーが飛び出し、着用者の顔に当たりキズを付ける懸念があり、ノーズワイヤーは着用時に、飛び出さないように常にマスクに収めておく必要があり、且つ  容易に取り外したり、また取り付けることができる必要性がある。
そのために、ノーズワイヤーが装着後飛び出さないように、取出し口をノーズワイヤーを入れる端に設けるのではなく、端から中央よりの位置に設け、ノーズワイヤーを装着しその衛生マスクを着用中にノーズワイヤーが飛び出るのを防ぐ。しかし取出し口を  端から中央よりの位置に設けることで、ノーズワイヤーを取り出すことが、取り出し口を端に設けた場合に比べて、困難になり、工夫が必要である。
その工夫とは、ノーズワイヤーの長さを、ノーズワイヤーの収納部分の左端から取り出し口の長さと同一の長さにすることである。
先述のように、取出し口は  端から中央よりの位置に設けてある。
このノーズワイヤーの長さと、取出し口の位置の組み合わせで、
着用時はノーズワイヤーが飛び出ないように取り出し口を避けてノーズワイヤーが水平方向に収納部分を移動し収まり、取り出す時はノーズワイヤーを反対の水平方向に移動しノーズワイヤーの先端が取外し口に  移動できるようしたものである。
ノーズワイヤーは水平方向に移動はできるが、容易に垂直方法には移動できず、ノーズワイヤーが着用中に飛び出す懸念がなくなる。
【考案の効果】
【０００６】布製の洗って繰り返し何度も使用可能な、使い捨てマスクでない衛生マスクにおいて、ノーズワイヤーの取出し口を設け、且つ容易にノーズワイヤーを着脱可能にすることで、洗濯の際に、ノーズワイヤーを外して洗濯をすれば、
ノーズワイヤーを装着したまま洗った場合のノーズワイヤーが布を傷めたり、ノーズワイヤーが変形して、耐久性、機能性が損なわれる問題が解消できる。
布製の洗って繰り返し何度も使用可能な、使い捨てマスクでない衛生マスクの本来の目的が可能になる。
【図面の簡単な説明】
【０００７】
【図１】この考案に係わる衛生マスクの正面図
【図２】この考案に係わる衛生マスクの背面図
【図３】この考案に係わる衛生マスクの平面図
【図４】この考案に係わる衛生マスクでノーズワイヤーを装着し着用中の図
【図５】この考案に係わる衛生マスクでノーズワイヤーを取り出す時の図
【図６】この考案に係わる衛生マスクでノーズワイヤーを取り出し、ノーズワイヤーの  一部が出た状態の図
【考案を実施するための形態】
【０００８】  以下、本考案の実施の形態を図に基づいて説明する。
【実施例】
【０００９】  図１は本考案の洗って繰り返し何度も使用可能な衛生マスク１の正面図である。
衛生マスク１は衛生マスク全体をあらわしている。衛生マスクの紐２は衛生マスク１を着用時に耳にかけるための紐である。
上部にノーズワイヤー３が、ノーズワイヤーの収納部分４の中に収納されている。
図２は本考案の洗って繰り返し何度も使用可能な衛生マスク１の背面図である。
衛生マスク１の裏側であり、ノーズワイヤー３の取り出し口５が  衛生マスク１の上部端から少し中央よりの位置に設けてあり、取り出し口５の横の長さはノーズワイヤー３が取り出せる幅を設けてある。
図３は本考案の洗って繰り返し何度も使用可能な衛生マスク１の平面図である。
図４はこの考案に係わる衛生マスク１でノーズワイヤー３を装着し着用中の図で、ノーズワイヤー３が取り出し口５から飛び出さないように水平方向で右に移動してる。すなわち、ノーズワイヤー３の左端はノーズワイヤーの収納部分の左端６より離れた位置にあり、ノーズワイヤー３の右端は取り出し口５より右に位置している。
図５はこの考案に係わる衛生マスク１でノーズワイヤー３を取り出す時の図で、ノーズワイヤー３を水平方向で左に移動し、取り出し口５にノーズワイヤー３の右先端が来ている状態である。すなわち、ノーズワイヤー３の左端はノーズワイヤーの収納部分の左端６の位置にあり、ノーズワイヤー３の右端は取り出し口５に位置している。
図６はこの考案に係わる衛生マスク１でノーズワイヤー３を取り出し、ノーズワイヤー３の一部が出た状態の図である。
取り出し口５の位置を、端から中央よりの位置に設けことと、ノーズワイヤー３の長さをノーズワイヤーの収納部分の左端から取り出し口の長さと同一の長さにすることで  取り出す時に容易に、また、着用時にノーズワイヤー３が飛び出さない設計にすることが可能になる。
もちろん、ノーズワイヤーの長さはより短くすれば、取り出しに容易であるが、短くすればするほど、眼鏡のくもりを軽減させる、マスクの隙間を少なくするという課題は達成できなくなる。
【産業上の利用可能性】
【００１０】  環境にも優しく、着用感にも優れた、布製の洗って繰り返し何度も使用可能な、使い捨てマスクでない衛生マスクで
容易にノーズワイヤーを着脱可能にすることで、マスクの耐久性が大いに良くなり、マスクを必要とするインフルエンザ対策、花粉対策に役立てられることはもとより、マスクを日常必要とされる、食品分野でのマスク着用者にとっても役立つものと考えられる。
【符号の説明】
【００１１】  １  衛生マスク
２  衛生マスクの紐
３  ノーズワイヤー
４  ノーズワイヤーの収納部分
５  ノーズワイヤーの取り出し口
６  ノーズワイヤーの収納部分の左端
【図１】
0003215606.tif 000003
【図２】
0003215606.tif 000004
【図３】
0003215606.tif 000005
【図４】
0003215606.tif 000006
【図５】
0003215606.tif 000007
【図６】
0003215606.tif 000008